(57)【要約】      （修正有）【課題】タフティングの針とタフティンググリッパは針との接触点で摩耗が発生しやすい。【解決手段】タフティング針との接触点でのタフティング・グリッパ１６の摩耗を減少または防止するために、耐磨耗性の切断インサート２７に加え、追加のインサート２８が備えられる。当該追加のインサートは、タフティング針と相互に作用することを目的とする。当該追加のインサートは、タフティング針とともに、最適な滑りの組合せを構成する材料から成る。追加のインサートは、柔らかい針を保護するインサートであるのが好ましい。切断インサートは、硬質の耐磨耗性インサートであるのが好ましい。２つのインサートは、異なるくぼみに別々に、または１つのくぼみ３１に一緒に収容され得る。それらは、互いに結合されてもよく、または一体で作成されてもよい。【選択図】図２
2012031561.tif 000002
【特許請求の範囲】
【請求項１】
グリッパ本体（１９）と、
硬質材表面（３２）を有する切断インサート（２７）と、
表面（３４）を有する追加のインサート（２８）であって、当該表面は当該硬質材表面（３２）とは異なるものと
からなるタフティング機のためのタフティング・グリッパ（１６、４４）。
【請求項２】
前記切断インサート（２７）は、切断エッジ（２６）を有する、ことを特徴とする請求項１に記載のタフティング・グリッパ。
【請求項３】
前記切断インサート（２７）は、前記グリッパ本体（１９）のくぼみ（３１、３６）に挿入され、固定される、ことを特徴とする請求項１に記載のタフティング・グリッパ。
【請求項４】
前記追加のインサート（２８）は、前記表面（３４）を有し、当該表面は、前記切断インサート（２７）の前記硬質材表面（３２）とは異なる滑り特性を示す材料からなる、ことを特徴とする請求項１に記載のタフティング・グリッパ。
【請求項５】
前記追加のインサート（２８）は、前記グリッパ本体（１９）のくぼみ（３１、３７）に挿入され、固定される、ことを特徴とする請求項１に記載のタフティング・グリッパ。
【請求項６】
前記切断インサート（２７）および前記追加のインサート（２８）は、互いにしっかりと接続され、組み合わせユニット（３０）を形成する、ことを特徴とする請求項１に記載のタフティング・グリッパ。
【請求項７】
前記切断インサート（２７）は前記グリッパ本体（１９）の一方側（２１）に配置され、前記他のインサート（２８）は前記グリッパ本体（１９）の他方の側（２０）に配置される、ことを特徴とする請求項１に記載のタフティング・グリッパ。
【請求項８】
前記切断インサート（２７）および／または前記追加のインサート（２８）は、材料接合により前記グリッパ本体（１９）と接続される、ことを特徴とする請求項１に記載のタフティング・グリッパ。
【請求項９】
スペーサ手段（４１）が、前記材料接合の接続のための最小の接合個所厚を確実にするため、前記切断インサート（２７）におよび／または前記追加のインサート（２８）に備えられている、ことを特徴とする請求項８に記載のタフティング・グリッパ。
【発明の詳細な説明】
【技術分野】
【０００１】
本発明はタフティング機のための、特にカット・パイルを有する製品の製造のための、タフティング・グリッパに関する。
【背景技術】
【０００２】
カット・パイルを備えた製品、例えばカーペットは、通常は複数のグリッパを有するグリッパ装置を備えたタフティング機で製作される。グリッパには切断ナイフが付属する。この装置は、例えば特許文献１から知られている。その文献に見られるように、グリッパは、バッキング材料を通してパイル糸を打ち込むシンカの針と相互に作用する。結果として生じるループは、切断エッジを備えたグリッパによって取り込まれる。各グリッパは、それぞれのグリッパによって取り込まれたループを切断するために設けられた、切断ナイフを付属する。
【０００３】
文献２も同様な装置を開示する。この場合に於いても、グリッパの各々は、切断ナイフに対し、対ナイフ（被切断）要素として働き、切断エッジを有する本体を有する。
【０００４】
さらにまた、硬質金属のインサート（差し込み）により、グリッパに切断エッジを構成することは知られており、当該インサートは、グリッパ本体のくぼみに挿入される。これに関しては、特許文献３を参照されたい。この文献は、硬質金属の本体が、くぼみエッジの塑性変形により、くぼみにぴったり嵌め合う形で固定されることを示唆している。その際、グリッパ本体の柔軟な横方向の変形から、硬質金属のインサートがある程度離脱する。
【０００５】
タフティング装置の動作中は、パイル糸ループを取り込むために設けられたグリッパは、タフティング針に添ってなぞる動作をする。これは、結果としてタフティング針を損傷することになり得る。例えば、タフティング針の目（アイ）がグリッパの硬質金属インサートをなぞると、鋭いエッジが目に構成され、そしてこの結果、パイル糸の個々のフィラメントが損傷を受け得る。また、グリッパ本体と針との間の接触点でのタフティング・グリッパへの損傷は避け難い。
【先行技術文献】
【特許文献】
【０００６】
【特許文献１】欧州特許出願公開第１８２６３０６号明細書
【特許文献２】欧州特許出願公開第１８２６３０７号明細書
【特許文献３】欧州特許第１９５３２９０号明細書
【発明の概要】
【発明が解決しようとする課題】
【０００７】
以上に鑑み、タフティング装置の使用寿命が改良され得る思想概念を提案することが本発明の目的である。
【課題を解決するための手段】
【０００８】
この目的は、請求項１のタフティング・グリッパにより達成される。
【０００９】
本発明のタフティング・グリッパは、硬質材表面を有する切断インサートと、硬質材表面とは異なる表面を有する追加のインサートとを備えたグリッパ本体からなる。硬質材表面を有する切断インサートは、好ましくは直線か、湾曲するか、回旋状か、階段状かあるいは歯のついた切断エッジであり、そして、付随する切断ナイフと相互に作用するように、グリッパ本体に設けられるのが好ましい。切断インサートは、例えば硬質金属体、セラミック体、硬質材の層を備えた鋼製本体、その他の形式の本体等の、堅固な本体であるのが好ましい。この場合、切断インサートは、適当なくぼみ、すなわちグリッパ本体の凹所に挿入され、当該くぼみに固定される。あるいは、切断インサートは、グリッパ本体と全く一体として構成されてもよいが、その場合でも、例えば、グリッパ本体にコーティングされた領域の形で、硬質材表面が当該切断インサートに定められる。硬質材表面は、硬質金属インサートの表面、例えば、それぞれの本体にＰＶＤまたはＤＶＤ工程により付加された、タングステンカーバイド面、セラミック・インサートの表面、あるいは他の方法によってコーティングされる他の層、例えば、ＤＬＣ層、スズ（ＴｉＮ）の層、ＴｉＣ層、ＡＬ２Ｏ３層等のような層でよい。切断ナイフおよび切断されるパイル糸の材料からみて、このような層は可能な限り最高の耐摩耗性を示すよう構成される。
【００１０】
本発明の追加のインサートは異なる表面を有し、グリッパ本体のタフティング針が接触する位置に配置されるのが好ましい。このインサートは、タフティング針と当該追加のインサートとが互いに接触するときに、タフティング針に損傷を与えない表面を有するのが好ましい。特に表面は優れた滑り特性を示す。例えば、追加のインサートは軟質金属または非金属、例えば低い摩擦係数を示すセラミック材料から、またはインサートの表面とタフティング針との間の低い摩擦係数および低い摩耗作用を確保できるコーティングを有する金属から、なることができる。例えば、表面は炭素窒化コーティングまたはセラミックコーティングでもよい。このコーティングは直接グリッパ本体に付加してもよく、そうすれば、追加のインサートおよびグリッパ本体は最終的には一体成形部品として見られ得る。
【００１１】
切断インサートおよび追加の鋭利なインサートは、グリッパ本体のくぼみに配置され、当該くぼみに固定されなければならない。固定するためには、それぞれの切断インサートは、ぴたりとした嵌め合いおよび／または材料接合により、グリッパ本体と接続されなければならない。切断インサートおよび／または他のインサートは、はんだ付け、接着、溶接（例えば、くぼみの縁にスポットあるいはシーム溶接を施すこと）によりグリッパ本体に接合され、および／または、それぞれのインサートを収容するくぼみの縁の塑性変形により、所定の位置に固定されるのが好ましい。加えて、一以上のバネ手段をグリッパ本体に備えてもよく、当該ばね手段は、切断インサートおよび／または他のインサートをそれらの所望の位置、好ましくはグリッパ先端の方へ、押し動かし、それにより所望の位置に当該切断インサートを固定する。これは、それぞれのインサートとグリッパ本体との間の材料接合接続、例えば硬ろうまたは他の、例えば、可撓性の、結合材料の使用によるもの、により補強され得る。グリッパ本体に設けられたバネ手段が概ね機能したとき、インサートは正しい位置関係にある。
【００１２】
２つのインサート（切断インサートおよび追加のインサート）は、別々のくぼみにも、共有のくぼみにも収容され得る。くぼみは、グリッパ本体のカット部分（切り取り）として構成されてもよく、従ってグリッパ本体の両方の平坦な側へ開いていてもよい。２つのインサートは、このカット部分またはくぼみで、互いに平らに重なるように配置されてもよく、グリッパ本体と結合されてもよい。２つのインサートは、互いに、例えば材料接合により、結合されてもよい。互いにはんだ付けされ、接着されあるいは溶接されてもよい。それらは、異なる材料から成るかまたは少なくとも異なる表面を有する。それらは、同じ母材から成ってもよくて、互いに離れた側の２つの側面に異なるコーティングを設けただけでもよい。単一の担体に２つのコーティングを設けることも可能である。
【００１３】
切断インサートおよび追加のインサートが、上述した方法の少なくとも１により結合されているか、または互いと組み合わされているときは、組み合わせユニットが構成されており、当該ユニットは硬質材表面と、その硬質材表面とは異なる表面とを有する。組み合わされたインサートは、前述の方法のいずれかでグリッパ本体に結合され得る。
【００１４】
管理された品質をもつ材料接合接続を達成するために、あらかじめ特定された接合厚みを接合個所に保持することが望ましく、当該接合個所は、接着剤または硬ろう（または他の接合材料）で満たされる。そのために、スペーサ手段が、それぞれのインサート（切断インサートおよび／または他のいかなるインサートおよび／または組み合わせユニット）に備えられていてもよい。このようなスペーサ手段は、例えば、インサートの外周の１以上の適切な場所に配置される突出部であり、例えば、インサートの縁より高い高さの小さなリブまたはノブである。この場合、それぞれの突出部の高さは、接合個所の所望の厚みに対応する。
【００１５】
本発明の有利な実施態様のさらなる詳細は、図面、明細書の記載または請求項の要旨である。
【図面の簡単な説明】
【００１６】
【図１】タフティング・グリッパ、タフティング針およびタフティング・ナイフを備えたタフティング・システムの図。
【図２】図１のタフティング・グリッパの斜視図。
【図３】図１および図２のタフティング・グリッパの別の斜視図。
【図４】図３のタフティング・グリッパの、線ＩＶ−ＩＶに沿った断面の、詳細を示す図。
【図５】図１〜図３のグリッパにならって作られた、タフティング・グリッパの実施態様の変形例の垂直な断面の、図４に対応する図。
【図６】タフティング・グリッパのさらに変形された実施態様の、図４または図５に対応する断面図。
【図７】図１〜図４のタフティング・グリッパのためのインサートの側面図。
【図８】本発明のタフティング・グリッパの変形された実施態様の図。
【発明を実施するための形態】
【００１７】
図１はタフト製品１１の製造のために使われるタフティング装置１０を示す。このような製品は、例えばカットパイル・カーペットである。これは図１に破線で示したような、平らで、平面の、例えば布地などの、バッキング材１２を有する。このバッキング材料は、最初にループ１４を形成するために、バッキング材料１２を通して打ち込まれるパイル糸１３を備える。工程が進むに従い、これらはオープンループを形成するために切り開かれ、そしてこのようにしてカット・パイル１５が形成される。これは、切断ナイフ１７が付属したタフティング・グリッパ１６により達成される。多数のタフティング・グリッパ１６がシンカに交互に配置され、シンカは所望の作業動作をタフティング・グリッパ１６に伝える。対応する数の切断ナイフ１７もシンカに配置され、シンカは切断動作のためグリッパ１６に向かう動作を行う。
【００１８】
グリッパ１６によって取り込まれるループ１４を製作するために、すなわち、バッキング材料１２を通してパイル糸１３を打ち込むために、タフティング針１８が用いられ、当該針の各々は、その目を通して移動する専用のパイル糸１３を有する。タフティング針１８および切断ナイフ１７は、それ自体は知られている構成を有する。タフティング・グリッパ１６は、従来設計されたタフティング・グリッパのように差し込まれ得るが、本グリッパは、使用寿命、特にタフティング針１８の使用寿命を改善するために、本発明により改良されている。
【００１９】
本発明のタフティング・グリッパ１６は、特に、図２および３に示されような、グリッパ本体１９を備える。グリッパ本体１９は、平坦な構成部品として構成され、２つの平坦な側２０、２１を有する。これらは必ずしも平面である必要はないが、平面領域を有してもよい。隣接するグリッパ１６の平坦な側２０、２１は、それらの間に、タフティング針１８および切断ナイフ１７のためと同様に、ループ１４およびカット・パイル１５のレッグ（足）のための、細い、スリット状の通路を定める。特に、密度の高いパイルについては、これらの通路は比較的隙間がない。当然ながら、タフティング針１８は、したがってグリッパ１６と接触する。同様に切断ナイフ１７は、少なくともループ１４が切られている間は、グリッパ１６と接触する。
【００２０】
図１に示すように、グリッパ１６の本体１９は、タフティング針１８の方へ、また同様に底面部２４へ伸びる、細長い把持フィンガ２２を備える。把持フィンガ２２は、その自由端に、バッキング材料１２から離れて曲げられたキャッチ２３を有してもよく、当該キャッチはフックを構成する。フィンガ２２は、グリッパ１６の本体１９のキャッチ２３と底面部２４との間が、直線である。図１に示されるように、フィンガ２２はループ１４を取り込むために設けられる。そのために、当該フィンガは、その低い側に直線のエッジ２５を有する。このエッジは、すなわち、少なくともグリッパ本体１９の一方の側で、切断エッジ２６として作用する。
【００２１】
切断エッジ２６は、１つの切断インサート２７に備えられ、そして、少なくとも本実施例では、底面部２４からキャッチ２３までフィンガ２２の全ての長さに沿って、必ずしもこうでなくても良いが、伸びている。切断インサート２７に隣接して配置されているのは追加のインサート２８で、本実施例では、切断インサート２７と同じ輪郭を有し、平面２９で当該インサートに対して当接している。切断インサート２７がタフティング・グリッパ１６の平坦な側２１に隣接する（図３）一方、他のインサート２８は段差やオフセットなく平坦な側２０に隣接する（図２）。
【００２２】
切断インサート２７および追加のインサート２８は、平面２９で互いに、例えば接着剤あるいははんだ（ソルダ）によって、接続され、そして、特に図４から明らかなように、それによりユニット３０を構成する。例えばレーザ・スポットまたはレーザ・シームのような他の接合技術を、表面２９の端に使用できる。
【００２３】
ユニット３０は、したがって切断インサート２７および追加のインサート２８も同様に、グリッパ本体１９に構成されるくぼみ３１に位置しており、そして底面部２４からキャッチ２３へ延びる。図２および図３から明らかなように、くぼみ３１はグリッパ本体１９の両方の平坦な側２０、２１へ開いている。２つのインサート２７、２８からなるユニット３０は、材料接合（material bonding）により固定され得る。例えばはんだが材料接合接続のために用いられてもよく、当該はんだはユニット３０をグリッパ本体１９に、すなわち、くぼみ３１の縁に沿ってはんだ付けするために用いられる。
【００２４】
切断インサート２７は硬質材表面３２を有する。例えば、切断インサート２７が硬質材から成る場合、表面３２はそのような材料からなる表面でよい。このような材料は、焼入鋼、例えばタングステンカーバイド、サーメットまたはセラミックのような硬質金属であり得る。第１の硬質材の切断インサート２７と第２の硬質材の硬質材表面３２を作成することも可能である。例えば、切断インサート２７はタングステンカーバイドからなり、そして硬質材表面３２は窒化チタン、アルミナ他の硬質材から、または各種の硬質材の層構成から、なってもよい。
【００２５】
硬質の材料表面３２は、少なくとも切断エッジ２６まで延び、当該切断エッジを切断インサート２７の狭い下側３３まで取り囲むのが好ましい（図４）。
【００２６】
追加のインサート２８は、切断インサート２７とは別の材料から成るのが好ましい。これは、低い摩擦係数を有する材料が好ましい。平坦な側２０に隣接して、インサート２８は、硬質材表面３２と明確に異なる表面３４を有する。特に、表面３４は、タフティング針１８との接触に関しては低い摩滅作用を呈する。例えば、追加のインサート２８は、非常の潤滑性能を示す、例えば、炭素含有金属構造、スズ含有金属構造等の材料からなってもよい。表面３４は低い摩擦係数と極小の粗さ高さを有するセラミック表面でもよい。
【００２７】
簡潔には、これまでに説明したタフティング装置１０は、以下のように作動する。
【００２８】
動作中、シンカに保持された複数のタフティング針１８は、バッキング材料１２を通してパイル糸１３を打ち込み、ループを形成する。これらのループは、当該グリッパの相対的な動作のため、シンカで支えられた複数のタフティング・グリッパ１６により把持されるので、図１から明らかなように、ループ１４はフィンガ２２によって取り込まれ得る。運転サイクルの間、シンカバーに保持される複数のナイフ１７は、取り込まれたループ１４の方向に押し出して、複数のタフティング・グリッパ１６の切断エッジ２６上でそれらを分離するので、カット・パイル１５が形成される。
【００２９】
この工程の間、切断ナイフ１７は、切断インサート２７と接触し、当該インサートの硬質材表面３２に沿って滑る。摩耗は最小限である。
【００３０】
タフティング針１８は、タフティング・グリッパ１６と接触する。特に、その際、タフティング針１８は、追加のインサート２８に沿って滑る。インサート２８の最小の摩耗作用、例えば、当該インサートの硬度および／または平滑性および／または柔らかさおよび／または非常の潤滑性能のため、針の摩耗は、無視できるほど小さい。特に、場合によってはパイル糸１３への損傷に至り得る、針の目（アイ）の縁を部分的にとがらせることが防止される。
【００３１】
タフティング・グリッパ１６の数多くの変形が可能である。例えば、図５に示されるように、切断インサート２７と追加のインサート２８とは、別々のインサートとして構成され得る。この場合、くぼみ３１はタフティング・グリッパ１６の全厚みを通しては延びていない。むしろ、当該くぼみは、くぼみ３１を２つの個別のくぼみ３６、３７に分ける、底部３５を有する。くぼみ３６、３７は、同じ輪郭かまたは異なる輪郭を有することができる。それらは、別の側の方へ開いている。個別のくぼみ３６が平坦な側２１に接する一方、個別のくぼみ３７は平坦な側２０に接する。また、この実施例では、切断インサート２７および追加のインサート２８は、材料接合、例えば、接着またはんだ付けにより、くぼみ３６、３７に固定され得る。
【００３２】
さらにまた、図６に示されるように、両方のインサート２７、２８から成る複合ユニット３０は、基体３８を共有することがあり得る。当該基体は、一方の側に、薄いプレートまたは、硬質材表面３２である層３９をも備えていてもよい。硬質材表面３２は、順に、オフセットのないそして隙間のないように、平坦な側２１に隣接する。タフティング・グリッパ１６の他の側にある表面３４は、薄い層またはプレート４０の形で基体３８に付加され得る、別の材料から成るのが好ましい。このプレートまたは層４０は、特に側面の表面３４の形で、それゆえタフティング針１８のための滑り面を形成する。前述の接続技術の各々が、くぼみ３１へ図６のユニット３０を固定するために使われ得る。図４または図６の切断インサート２７、追加のインサート２８および／またはユニット３０は、図７の側面図を有することができる。くぼみ３１（３６または３７）の壁に面するそれぞれのインサートの外周は、スペーサ手段４１を備えていてもよい。このようなスペーサ手段は、ユニット３０の外周とくぼみ３１の縁との間に形成される所望の接合個所の厚みに対応する高さの、例えば、ノブのような、あるいはリブのような突出部４２、４３である。この高さは、１ミリメートルの１／１０の数倍が好ましい。これは、例えば、定められた厚みの硬質のはんだ接続を製作するために、そしてまた、それぞれのインサート２７またはそれぞれのユニット３０を、くぼみ３１に極めて正確に位置決めするために設けられる。
【００３３】
図８は、タフティング・グリッパ４４の形により示される本発明の他の実施態様を示す。このグリッパは細長いフィンガ２２を備える。例えばキャッチ２３は、省略されてもよい。切断インサート２７および追加のインサート２８は、くぼみ３１の組み合わせユニットとして設けられるとみなされる。その先端の端部には、くぼみ３１はぴったりとした嵌め合い構造４５を有し、当該構造は、ユニット３０が当該嵌め合い構造４５に押し付けられたとき、くぼみ３１にユニット３０を固定する。例えば、くぼみ３１の縁は、その先端側の端部に円弧形状を有する。くぼみ３１の縁は、フック状にインサートまたはユニット３０を囲み、したがって、垂直方向に嵌め合うように当該インサートを固定する。平坦な側２０から平坦な側２１まで、くぼみ３１のエッジは横断方向において直線でもよい。あるいは、ユニット３０の横方向の位置がぴったりと嵌め合うようにするためにも、嵌め合い構造４５は、タフティング・グリッパ４５の横断方向において、丸みをつけるかまたは角のある形状を有してもよい。
【００３４】
ばね手段４６が、くぼみ３１の対向する端部に配置され、当該ばね手段は、嵌め合い構造４５に関してユニット３０を付勢する。ばね手段４６は、例えば、タフティング・グリッパ４４の本体に設けられた、解放されたばねタブ４７である。ばね手段４６により印加されるばね力の結果として、ユニット３０は、スプリング作動で、非能動（non-positive）な方法で位置決めされる。この結果として、タフティング・グリッパ４４の本体１９からインサートまたはユニット３０への移行部の隙間は、できる限り小さくなる。ユニット３０が材料接合の方法でタフティング・グリッパ４４に接続されるときは、インサートまたはユニット３０の厳密な位置決めが達成される。この位置は、インサートまたはユニット３０の側面の表面とタフティング・グリッパ４４の平坦な側との間に生じる移行部の品質にとって決定的である。はんだ付け作業の間のユニット３０の正確な非能動（non-positive）な固定により、はんだが凝固するか接着剤が硬くなるときの側面から作用する力は、固定に対して悪い影響を及ぼさない。
【００３５】
すべての上述した実施態様において、ばね手段４６によるばね力によってインサートを固定するこの方法は、切断インサート２７および追加のインサート２８へと同様に、ユニット３０に、すなわち、スペーサ手段４１のない態様にと同様にスペーサ手段４１を備えている態様に、別々に適用してもよい。
【００３６】
タフティング針１８との接触点でのタフティング・グリッパ１６の摩耗を減少または防止するために、耐磨耗性の切断インサート２７に加え、追加のインサート２８が備えられる。当該追加のインサート２８は、タフティング針１８と相互に作用することを目的とする。当該追加のインサートは、タフティング針１８とともに、最適な滑りの組合せを構成する材料から成る。追加のインサート２８は、柔らかい針を保護するインサートであるのが好ましい。切断インサート２７は、硬質の耐磨耗性インサートであるのが好ましい。２つのインサート２７、２８は、異なるくぼみ３６、３７に別々に、または１つのくぼみ３１に一緒に収容され得る。それらは、互いに結合されてもよく、または一体で作成されてもよい。
【符号の説明】
【００３７】
１０  タフティング装置
１１  製品
１２  バッキング材
１３  パイル糸
１４  ループ
１５  カット・パイル
１６  タフティング・グリッパ
１７  切断ナイフ
１８  タフティング針
１９  タフティング・グリッパの本体
２０  平坦な側
２１  平坦な側
２２  把持フィンガ（指状突起）
２３  キャッチ
２４  タフティング・グリッパ１９の本体底面部
２５  フィンガ２２の下部エッジ
２６  切断インサート２７の切断エッジ
２７  切断インサート
２８  追加のインサート
２９  インサート２７、２８間の平面
３０  切断インサート２７および追加のインサート２８からなるユニット
３１  くぼみ
３２  切断インサート２７の硬質材の表面
３３  切断インサート２７の狭い（下）側
３４  追加インサート２８の側面の表面
３５  くぼみ３６、３７の底部
３６  切断インサート２７のための個別のくぼみ
３７  追加インサート２８のための個別のくぼみ
３８  インサート２７、２８のための共通の基体
３９  硬質材表面３２を有するプレートまたは層
４０  滑り面を有するプレートまたは層
４１  スペーサ手段
４２  ノブ
４３  ノブ
４４  タフティング・グリッパ
４５  嵌め合い構造
４６  ばね手段
４７  ばねタブ
【図１】
2012031561.tif 000003
【図２】
2012031561.tif 000004
【図３】
2012031561.tif 000005
【図４】
2012031561.tif 000006
【図５】
2012031561.tif 000007
【図６】
2012031561.tif 000008
【図７】
2012031561.tif 000009
【図８】
2012031561.tif 000010
【外国語明細書】
2012031561000001.pdf